(57)【要約】      （修正有）【課題】従来の発電システムは、自然を破壊して設置されることが多く、また、建設には莫大な予算と長期の工事期間を要する。また、回生エネルギーを使用する構造のものもあるが、補助的に利用されている程度である。【解決手段】蓄電器５を電力源とし、配線６で接続した直流電力モータ７を作動する。直流電力モータ７と交流発電機９を、動力伝達手段８で連動させることにより、直流電力モータ７が作動すれば、交流発電機９が作動し発電を行う。得られた電力の一部を変圧器１で変圧しさらに変換器３に接続された配線２を介して、変換器３で直流に変換して蓄電器５に送る。これにより交流発電機９は連続発電する。自己で発電した電力を動力源とするので回生発電システムが成り立つ。【選択図】図１
2011193708.tif 000002
【特許請求の範囲】
【請求項１】
蓄電器を電力源として直流電力モータを作動させるとともに、動力伝達手段を介して交流発電機を作動させ、この発電機で得られた電力を変圧器に入力して設定の電力に変圧し、さらにこの電力を、交流を直流に変換する変換器に入力した後、前記直流電力モータに回生させることを特徴とする回生発電システム。
【発明の詳細な説明】
【発明の詳細な説明】
【技術分野】
【０００１】本発明は、自己の電力で電力モータを作動し発電を行い、外部のエネルギーを必要とせずに連続作動し、安定した電力を得るシステムである。さらに詳しくは、小型を可能にした回生発電システムである。
【背景技術】
【０００２】電力発電には、水力発電、火力発電、原子力発電、太陽光発電、風力発電などの発電が一般に知られていることである。【０００３】水力発電は、ダムを作り自然水を貯水して落差を利用して発電している。建設には長期の期間と莫大な予算が必要で、自然を破壊せねばならない。また、完成後には、ダム上流と下流で生態系が変わってしまうことも一般的によく言われている。【０００４】火力発電は、化石燃料を燃やしての発電であり、昨今、特に問われているＣＯ２削減には適していない。【０００５】原子力発電は、ＣＯ２排出の観点ではよいと思うが、大きな設備を必要とし、原子核の反応時にでるエネルギーを使用した発電であり、放射能汚染の心配が常にある。原子核反応後の処理には特殊な技術が必要であり危険である。【０００６】太陽光発電は、光を利用しての発電で光が当たらないと発電しないので、暗いところでは発電しないという致命的な欠点があり、昼夜を問わず安定した電力の供給はできない。【０００７】風力発電は、風を利用しての発電で風が吹かなければ発電をしないという致命的な欠点があり、安定した電力の供給はできない。【０００８】従来の技術に、例えば、特開平１１−８９０９号公報に開示されている回生エネルギーの技術がある。ハイブリット自動車に、エンジン発電機を用いて補助的に回生エネルギーを利用している技術で、主として回生エネルギーを利用しているものではない。
【先行技術文献】
【特許文献】
【特許文献】  特開平１１−８９０９
【０００９】
【発明の概要】
【発明が解決しようとする課題】
【００１０】本発明は、前記従来技術の諸問題を解消し無公害、省エネルギー電力としての回生発電システムであり小型である。一般家屋、工場、自動車など場所を選ばず設置でき構造も簡単で、大規模な工事を必要としない回生発電システムを提供することを目的とする。
【課題を解決するための手段】
【００１１】蓄電器を電力源とする直流電力モータと交流発電機を、動力伝達手段で連結し、直流電力モータを作動すれば発電を行う構造を作り、得られた交流電流の一部を変圧器で変圧し、さらに変換器にて直流に変換し蓄電器におくる。これを連続することで、回生発電システムが可能となる。
【実地例】
【００１２】本発明の実地例を図１の符号を用いて説明する。
【００１３】図１より、初動時に蓄電器５は充電されておりこれを電力源とし、直流電力モータ７に接続された配線６を介して、直流電力モータ７に電流を送り直流電力モータ７を作動させる。
【００１４】直流電力モータ７と交流発電機９は動力伝達手段８で連結しており、直流電力モータ７が作動することにより交流発電機９は発電を行う。尚、動力伝達手段８はプーリーや歯車などを使用することを前提とするが、変速機が望ましい。
【００１５】得られた電力は、配線１０に流れるので、配線１０より分岐し変圧器１にて変圧しボルトを落とす。例えば１００ボルトから２５ボルトに落とす。
【００１６】変圧器１と変換器３は配線２で接続されており、変換器３で直流に変換される。変換された電力は配線４を介して蓄電器５に送られる。
【００１７】したがって、上記の一連の流れを繰り返すことにより、外部のエネルギーを必要とせずに、自己の発電で得られた電力で発電を行うので、回生発電システムが成り立つ。
【００１８】上記に説明したように、構造がいたって簡単であり部品点数が少ないので、小型化が容易にできる。
【発明の効果】
【００１９】本発明は上記の構成をなしたもので、上述の従来の諸問題を解消し以下の効果を有する。
【００２０】構造が簡単で小型であり、大規模な工事を必要としないので、自然を破壊せずに安定した電力の供給で、社会に貢献できる。
【００２１】回生発電システムを一般家庭、工場、店舗に設置すれば、従来の電力供給システムのように鉄塔、電信柱、電線により送電する形態で、景観を損ねていた景観が改善される。また、電信柱は歩道などに設置されていることが多く、電信柱を必要としないので、電信柱による部分的に歩道が狭くなることがなくなり、障害がなくなるので交通安全に貢献できる。
【００２２】回生発電システムの小型化により、自動車にも設置できるので、ますます拡大する電気自動車産業にも貢献できる。
【００２３】発電された一部の電力を変圧器、蓄電器を使用して自己の電力を電力源とするので、外部エネルギーを利用しないことにより、クリーンエネルギーでありＣＯ２削減に貢献できる。
【図面の簡単な説明】
【図１】本発明の回生発電システムの説明図である。
【符号の説明】    １    変圧器
２    配線
３    変換器
４    配線
５    蓄電器
６    配線
７    直流電力モータ
８    動力伝達手段
９    交流発電機
１０  配線
【図１】
2011193708.tif 000003
【手続補正書】
【提出日】平成22年5月12日(2010.5.12)
【手続補正１】
【補正対象書類名】特許請求の範囲
【補正対象項目名】請求項１
【補正方法】変更
【補正の内容】
【請求項１】
電力モータを作動させることにより、動力伝達手段を介して発電機を作動させ、この発電機で得られた電力の一部を変圧器に入力して設定の電力に変圧し、電力モータに回生させることを特徴とする回生発電システム。
【手続補正２】
【補正対象書類名】明細書
【補正対象項目名】全文
【補正方法】変更
【補正の内容】
【発明の詳細な説明】
【発明の詳細な説明】
【技術分野】
【０００１】本発明は、自己の電力で電力モータを作動し発電を行い、外部のエネルギーを必要とせずに連続作動し、安定した電力を得るシステムである。さらに詳しくは、小型を可能にした回生発電システムである。
【背景技術】
【０００２】電力発電には、水力発電、火力発電、原子力発電、太陽光発電、風力発電などの発電が一般に知られていることである。【０００３】水力発電は、ダムを作り自然水を貯水して落差を利用して発電している。建設には長期の期間と莫大な予算が必要で、自然を破壊せねばならない。また、完成後には、ダム上流と下流で生態系が変わってしまうことも一般的によく言われている。【０００４】火力発電は、化石燃料を燃やしての発電であり、昨今、特に問われているＣＯ２削減には適していない。【０００５】原子力発電は、ＣＯ２排出の観点ではよいと思うが、大きな設備を必要とし、原子核の反応時にでるエネルギーを使用した発電であり、放射能汚染の心配が常にある。原子核反応後の処理には特殊な技術が必要であり危険である。【０００６】太陽光発電は、光を利用しての発電で光が当たらないと発電しないので、暗いところでは発電しないという致命的な欠点があり、昼夜を問わず安定した電力の供給はできない。【０００７】風力発電は、風を利用しての発電で風が吹かなければ発電をしないという致命的な欠点があり、安定した電力の供給はできない。【０００８】従来の技術に、例えば、特開平１１−８９０９号公報に開示されている回生エネルギーの技術がある。ハイブリット自動車に、エンジン発電機を用いて補助的に回生エネルギーを利用している技術で、主として回生エネルギーを利用しているものではない。
【先行技術文献】
【特許文献】
【特許文献】特開平１１−８９０９
【０００９】
【発明の概要】
【発明が解決しようとする課題】
【００１０】本発明は、前記従来技術の諸問題を解消し無公害、省エネルギー電力としての回生発電システムであり小型である。一般家屋、工場、自動車など場所を選ばず設置でき構造も簡単で、大規模な工事を必要としない回生発電システムを提供することを目的とする。
【課題を解決するための手段】
【００１１】電力モータと発電機を、動力伝達手段で連結し、電力モータを作動すれば発電を行う構造を作り、得られた交流電流の一部を変圧器で変圧し、さらに電力モータに送る。これを連続することで、回生発電システムが可能となる。
【実地例】
【００１２】本発明の実地例を図１の符号を用いて説明する。
【００１３】図１より、初動時にのみに初動装置にて、電力モータ３を作動する。初動装置は電力モータの軸を回転させるものであれば特に指定しない。
【００１４】電力モータ３と発電機５は動力伝達手段４で連結しており、電力モータ３が作動することにより発電機５は発電を行う。尚、動力伝達手段４はプーリーや歯車などを使用することを前提とするが、変速機が望ましい。
【００１５】得られた電力は、配線６に流れるので、配線６より分岐し変圧器１にて変圧しボルトを落とす。例えば１００ボルトから２５ボルトに落とす。
【００１６】変圧器１と電力モータ３は配線２で接続されており、電力モータ３は作動する。
【００１７】したがって、上記の一連の流れを繰り返すことにより、外部のエネルギーを必要とせずに、自己の発電で得られた電力で発電を行うので、回生発電システムが成り立つ。
【００１８】上記に説明したように、構造がいたって簡単であり部品点数が少ないので、小型化が容易にできる。
【発明の効果】
【００１９】本発明は上記の構成をなしたもので、上述の従来の諸問題を解消し以下の効果を有する。
【００２０】構造が簡単で小型であり、大規模な工事を必要としないので、自然を破壊せずに安定した電力の供給で、社会に貢献できる。
【００２１】回生発電システムを一般家庭、工場、店舗に設置すれば、従来の電力供給システムのように鉄塔、電信柱、電線により送電する形態で、景観を損ねていた景観が改善される。また、電信柱は歩道などに設置されていることが多く、電信柱を必要としないので、電信柱による部分的に歩道が狭くなることがなくなり、障害がなくなるので交通安全に貢献できる。
【００２２】回生発電システムの小型化により、自動車にも設置できるので、ますます拡大する電気自動車産業にも貢献できる。
【００２３】発電された一部の電力を、変圧器を使用して自己の電力を電力源とするので、外部エネルギーを利用しないことにより、クリーンエネルギーでありＣＯ２削減に貢献できる。
【図面の簡単な説明】
【図１】本発明の回生発電システムの説明図である。
【符号の説明】１  変圧器２  配線３  電力モータ４  動力伝達手段５  発電機６  配線
【手続補正３】
【補正対象書類名】図面
【補正対象項目名】全図
【補正方法】変更
【補正の内容】
【図１】
2011193708.tif 000004